(57)【特許請求の範囲】
【請求項１】
把持可能な柱状のハンドルと、このハンドルに接続されるブレードと、を備え、前記ブレードが先端部から喉頭に挿入される喉頭鏡であって、
前記ハンドルの一端部と前記ブレードの根元部とを回動自在に接続する回動軸と、
前記ハンドルと前記ブレードとのなす角度が零度を上回る所定角度のときに前記ハンドルに対する前記ブレードの回動を阻止する回動阻止手段と、
画像情報を取得する撮像素子を有し前記ブレードに設けられた装着部に着脱自在に装着される撮像部と、
前記撮像部に接続され前記撮像素子で取得した画像情報を伝送する可撓性のケーブルと、を備え、
前記撮像部は、前記喉頭鏡が折り畳まれた状態にあるときに前記ブレードの前記装着部から抜脱した状態となる一方、前記ハンドルと前記ブレードとのなす角度が前記所定角度になるまで前記ブレードを回動させたときに前記ブレードの前記装着部に装着された状態となり所定方向を向くように姿勢が調整されるものである、
喉頭鏡。
【請求項２】
前記ケーブルは、前記ハンドルの長手方向に沿って延在しかつ前記ハンドル側から前記ブレードの根元部を経由して前記ブレード先端部側へ延在するように配置されるとともに、その先端部が前記撮像部に接続されるものであり、
前記ケーブルのブレード根元部近傍部分を収納して支持することにより、前記ケーブルの先端部を前記ブレードの先端部側に向けるように前記ケーブルをブレード根元部近傍部分で緩やかに湾曲させるケーブルパイプを備える、
請求項１に記載の喉頭鏡。
【請求項３】
前記ブレードは、前記ケーブルの先端部近傍部分を当接させるケーブル当接部と、折り畳まれた前記喉頭鏡を前記ケーブルの先端部近傍部分が前記ケーブル当接部に当接しない状態で開いたときに前記ケーブルをブレード根元部近傍部分で緩やかに湾曲させるケーブル案内部と、を有するものである、
請求項２に記載の喉頭鏡。  
【発明の詳細な説明】
【技術分野】
【０００１】
本発明は、喉頭鏡に関する。
【背景技術】
【０００２】
従来より、全身麻酔や救命救急措置に必要な医療処置としての気管挿管を実施する際に、喉頭鏡が使用されている。喉頭鏡は、気管挿管施行者から把持されるハンドルと、このハンドルに接続され患者の口から喉頭に挿入されるブレードと、を備え、気管挿管施行者が声帯や気管入口部を視認して気管挿管を行うための医療器具である。
【０００３】
現在においては、結像用のグラスファイバー材料等からなる結像ガイドをブレードに取り付け、この結像ガイドにより得られた気管入口部等の像を結像する結像ユニットをハンドル内に組み込んだファイバー内視鏡型の喉頭鏡が提案されている。また、近年においては、ＣＣＤ（Charge Coupled Device）を有する撮像ヘッドを喉頭鏡のブレードに装着し、ＣＣＤで取得した画像情報を外部に伝送して表示・記録する喉頭鏡システムが提案されている（特許文献１参照）。このようなＣＣＤを有する喉頭鏡を採用すると、ファイバー内視鏡型の喉頭鏡と比較して解像度を大幅に向上させることが可能となる。
【特許文献１】国際公開第０３／０６８０５６号パンフレット
【発明の開示】
【発明が解決しようとする課題】
【０００４】
ところで、前記した特許文献１に記載されたような従来の喉頭鏡は、画像を取得するための撮像ヘッドをブレードに装着（固定）し、この撮像ヘッドに接続されたケーブルをハンドルの長手方向に沿って延在させて配置した構造を有している。このような従来の喉頭鏡においては、ハンドルの端部にブレードの端部を剛接合し、ハンドルに対するブレードの相対的な位置を固定することにより、ケーブルに大きな引張力が作用すること等を防いでいた。
【０００５】
しかし、前記した従来の喉頭鏡においては、ハンドルに対してブレードが所定の角度をなす状態（すなわち使用時の状態）でハンドルにブレードが固定されるため、非使用時（収納・保管時）に余分なスペースを要するという問題があった。また、このような従来の喉頭鏡は、前記したような使用時の状態から折り畳むことができないため、嵩張って持ち運び難いという問題があった。
【０００６】
本発明は、かかる事情に鑑みてなされたものであり、喉頭鏡の収納・保管用スペースの節減を図るとともに、喉頭鏡の携帯性を向上させることを目的とする。
【課題を解決するための手段】
【０００７】
前記目的を達成するため、本発明に係る喉頭鏡は、把持可能な柱状のハンドルと、このハンドルに接続されるブレードと、を備え、ブレードが先端部から喉頭に挿入される喉頭鏡であって、ハンドルの一端部とブレードの根元部とを回動自在に接続する回動軸と、ハンドルとブレードとのなす角度が零度を上回る所定角度のときにハンドルに対するブレードの回動を阻止する回動阻止手段と、を備えるものである。
【０００８】
かかる構成を採用すると、ハンドルに対してブレードを回動させることができ、かつ、ハンドルとブレードとのなす角度が零度を上回る所定角度のときにハンドルに対するブレードの回動を阻止する（すなわちハンドルに対してブレードを一時的に固定する）ことができる。従って、喉頭鏡の非使用時には、ハンドルとブレードとのなす角度が略零度になるまでハンドルに対してブレードを回動させて喉頭鏡を折り畳むことができるので、喉頭鏡の携帯性を向上させることができ、また、喉頭鏡の収納・保管スペースを節減することができる。一方、喉頭鏡の使用時には、ハンドルとブレードとのなす角度を所定角度（例えば略９０度）にした状態で維持することができる。
【０００９】
前記喉頭鏡において、画像情報を取得する撮像素子を有しブレードに設けられた装着部に着脱自在に装着される撮像部と、撮像部に接続され撮像素子で取得した画像情報を伝送する可撓性のケーブルと、を備えることができる。
【００１０】
かかる構成を採用すると、ブレードの装着部に装着された撮像部の撮像素子（例えばＣＣＤ）を用いて、声帯や気管入口部付近の画像情報を取得することができ、この取得した画像情報を、ケーブルを介して外部に伝送することができる。撮像部はブレードに設けられた装着部に着脱自在となっており、ケーブルは可撓性を有しているため、ハンドルに対してブレードが回動した際に撮像部がブレードに引っ張られて破損したりケーブルが折損したりすることを防止することができる。
【００１１】
また、前記喉頭鏡において、喉頭鏡が折り畳まれた状態にあるときにブレードの装着部から抜脱した状態となる一方、ハンドルとブレードとのなす角度が所定角度になるまでブレードを回動させたときにブレードの装着部に装着された状態となり所定方向を向くように姿勢が調整される撮像部を採用することが好ましい。
【００１２】
かかる構成を採用すると、ハンドルとブレードとのなす角度が所定角度になるまでブレードを回動させる（すなわち折り畳まれた喉頭鏡を開いてハンドルに対してブレードを一時的に固定する）と、ブレードの装着部に撮像部が自動的に装着されて自動的に所定方向に向くこととなる。従って、折り畳まれた状態の喉頭鏡を開く操作を行うだけで、速やかに使用状態に移行させることができ、撮像部をブレードに装着する手間や撮像素子の方向調整を行う手間を省くことができる。
【００１３】
また、前記喉頭鏡において、ハンドルの長手方向に沿って延在しかつハンドル側からブレードの根元部を経由してブレード先端部側へ延在するように配置されるとともに、先端部が撮像部に接続されるケーブルを採用することができる。かかる場合に、ケーブルのブレード根元部近傍部分を収納して支持することにより、ケーブルの先端部をブレードの先端部側に向けるようにケーブルをブレード根元部近傍部分で緩やかに湾曲させるケーブルパイプを採用することが好ましい。
【００１４】
かかる構成を採用すると、ケーブルパイプでケーブルのブレード根元部近傍部分を収納して支持することにより、ケーブルを予め緩やかに湾曲させておくことができる。従って、使用状態（ハンドルとブレードとのなす角度を所定角度にした状態）にある喉頭鏡を折り畳む際に、ケーブルのブレード根元部近傍部分が大きな角度で屈曲して折損することを未然に防止することができる。
【００１５】
また、前記喉頭鏡において、ケーブルの先端部近傍部分を当接させるケーブル当接部と、折り畳まれた喉頭鏡をケーブルの先端部近傍部分がケーブル当接部に当接しない状態で開いたときにケーブルをブレード根元部近傍部分で緩やかに湾曲させるケーブル案内部と、を有するブレードを採用することができる。
【００１６】
かかる構成を採用すると、折り畳まれた喉頭鏡を、ケーブルの先端部近傍部分がケーブル当接部に当接しない状態（撮像部が装着部に装着されない状態）で開いたとき（ブレードをハンドルに対して回動させたとき）に、ケーブル案内部により、ケーブルをブレード根元部近傍部分で緩やかに湾曲させることができる。従って、ケーブル及び撮像部がブレードから外れた状態で喉頭鏡を開いた場合においても、ケーブルの折損を未然に防止することができる。
【発明の効果】
【００１７】
本発明によれば、喉頭鏡の収納・保管用スペースを節減することができ、なおかつ、喉頭鏡の携帯性を向上させることができる。
【発明を実施するための最良の形態】
【００１８】
以下、図面を参照して、本発明の実施形態に係る喉頭鏡について説明する。
【００１９】
まず、図１〜図８を用いて、本実施形態に係る喉頭鏡１の構成について説明する。
【００２０】
喉頭鏡１は、図１〜図７に示すように、把持可能な柱状のハンドル１０と、ハンドル１０に接続されるブレード２０と、画像情報を取得するＣＣＤ（撮像素子）を有するＣＣＤヘッド３０と、ＣＣＤヘッド３０に接続された可撓性のＣＣＤケーブル４０と、を備えている。
【００２１】
ハンドル１０は、略円柱形状を有しており、その内部には、ＣＣＤケーブル４０を収納する空間が設けられている。ハンドル１０の長手方向略中央部における外表面所定領域１１には、気管挿管施行者が把持した際の滑り止めを実現させるメッシュ加工が施されている。ハンドル１０の下端部には、図示されていない各種電子機器が収納される筐体１２が接続されている。また、ハンドル１０の上端部には、図２及び図３に示すように、ブレード２０の根元部２２を嵌め込む凹部１３が設けられており、回動軸５０を介してブレード２０の根元部２２がハンドル１０の凹部１３に回動自在に取り付けられている。図３に示すように、ハンドル１０の凹部１３の左右内側面には、後述する係止用球体６０を嵌合させるための嵌合穴１４が設けられている。
【００２２】
ブレード２０は、患者の口から喉頭に挿入される部分であり、図４及び図５に示すように、側面視で根元部２２から先端部２１になるに従って上方に凸になるように緩やかに湾曲した略円弧形状を有している。ブレード２０の先端部２１は、患者の口に最初に挿入される部分である。ブレード２０の先端部２１は、図１及び図４〜図７に示すように、患者の口に挿入し易いように正面視で上下方向に細く左右方向に所定長延在する細長い形状を有し、かつ、患者の喉頭を傷つけないように先端が若干丸みを帯びた形状を有している。ブレード２０の根元部２２は、ハンドル１０の凹部１３に嵌め込まれるような凸形状を有している。
【００２３】
ブレード２０の根元部２２の左右外側面には、図３に示すように、穴部２３が設けられ、これら穴部２３の内部には、係止用球体６０と、係止用球体６０を外方に突出させるように付勢する弾性部材６１と、が収納されている。係止用球体６０は、弾性部材６１の付勢力によりブレード２０の根元部２２からその一部が常時外方に突出するような状態で取り付けられている。
【００２４】
そして、図２〜図５に示すように、ハンドル１０とブレード２０とのなす角度が所定角度（例えば略９０度）のときに、ハンドル１０の凹部１３の嵌合穴１４にブレード２０の根元部２２に設けられた係止用球体６０が嵌合し、根元部２２が凹部１３に係止する。この結果、ハンドル１０に対するブレード２０の回動が阻止されることとなる。すなわち、ハンドル１０の嵌合穴１４と、ブレード２０の根元部２２に設けられた係止用球体６０と、により、本発明における回動阻止手段が構成される。一方、ハンドル１０とブレード２０とが係止状態にあるときに、ブレード２０を回動させるような力を作用させると、弾性部材６１の付勢力に抗して係止用球体６０が内側に押圧されて穴部２３に収納され、係止用球体６０が嵌合穴１４から外れて、根元部２２と凹部１３との係止状態が解除される。この結果、ハンドル１０に対するブレード２０の回動が許容されることとなる（図９）。
【００２５】
また、ブレード２０は、図４及び図５に示すように、ＣＣＤケーブル４０の一部を当接させて支持するケーブル当接部２４を有している。ケーブル当接部２４は、図２及び図３に示すように断面Ｌ字形状を有し、ＣＣＤケーブル４０の先端部からハンドル１０側へと所定長延在する部分の上部及び右側部を当接させて支持することにより、湾曲したＣＣＤケーブル４０の姿勢を維持させるものである。また、ブレード２０は、ＣＣＤケーブル４０の先端に取り付けられたＣＣＤヘッド３０を着脱自在に装着させるヘッド装着部２５を有している。
【００２６】
また、ブレード２０は、折り畳まれた喉頭鏡１を、ＣＣＤケーブル４０の先端部近傍部分がケーブル当接部２４に当接しない状態（ＣＣＤヘッド３０がヘッド装着部２５に装着されない状態）で開いたときに、ＣＣＤケーブル４０をブレード根元部近傍部分で緩やかに湾曲させるケーブル案内部２６を有している。ケーブル案内部２６は、図６に示すように、ケーブル当接部２４の後方に設けられた滑らかな曲線部である。このようなケーブル案内部２６を設けることなくＣＣＤケーブル４０がケーブル当接部２４から外れた状態で喉頭鏡１を開くと、ケーブル当接部２４の後方部分がＣＣＤケーブル４０に当接してＣＣＤケーブル４０が折損するおそれがある。これに対し、本実施形態においては、ケーブル当接部２４の後方にケーブル案内部２６が設けられているため、ＣＣＤケーブル４０がケーブル当接部２４から外れた状態で喉頭鏡１を開いた場合においても、ケーブル案内部２６によりＣＣＤケーブル４０のブレード根元部近傍部分が緩やかに湾曲して、ＣＣＤケーブル４０の先端部が左側方に案内されることとなる。
【００２７】
ＣＣＤヘッド３０は、ＣＣＤケーブル４０の先端に取り付けられ、ＣＣＤ（撮像素子）を有して患者の声帯や気管入口部の画像を取得するものであり、本発明における撮像部として機能する。ＣＣＤヘッド３０は、ブレード２０のヘッド装着部２５に着脱自在に装着される。ＣＣＤヘッド３０により取得された画像は、ＣＣＤケーブル４０を経由して、外部の画像処理装置に伝送される。
【００２８】
ＣＣＤヘッド３０は、喉頭鏡１が折り畳まれた状態にあるとき（図９（Ｃ））に、ブレード２０のヘッド装着部２５から抜脱した状態となる。一方、ＣＣＤヘッド３０は、折り畳まれた喉頭鏡１を開きハンドル１０とブレード２０とのなす角度が所定角度になるまでブレード２０を回動させてハンドル１０とブレード２０とを係止状態にしたとき（図４及び図５）に、ブレード２０のヘッド装着部２５に装着された状態となる。また、ＣＣＤヘッド３０は、ブレード２０のヘッド装着部２５に装着されたときに所定方向を向くように姿勢が調整されている。
【００２９】
ＣＣＤケーブル４０は、ＣＣＤヘッド３０で取得した画像情報を伝送するものである。ＣＣＤケーブル４０は、図４及び図５に示すように、ハンドル１０の長手方向に沿って延在しかつハンドル１０側からブレード２０の根元部２２を経由してブレード２０の先端部２１側へ延在するように配置されるとともに、その先端部がＣＣＤヘッド３０に接続されている。ＣＣＤケーブル４０は、弾性を有する材料で構成されており、折曲すると元の形状に戻ろうとする力（復元力）が作用する。
【００３０】
ＣＣＤケーブル４０のブレード２０の根元部近傍部分は、図４に示すように、ケーブルパイプ７０によって収納され支持されている。ケーブルパイプ７０は、ＣＣＤケーブル４０の先端部（及びこれに接続されたＣＣＤヘッド３０）をブレード２０の先端部２１側に向けるように、ＣＣＤケーブル４０をブレード２０の根元部近傍部分で緩やかに湾曲させるものである。ケーブルパイプ７０により、ＣＣＤケーブル４０は、図８に示すように予め緩やかに湾曲した状態で支持される一方、ケーブルパイプ７０より先端側にある部分を上下左右に曲げることができるようになっている。また、ＣＣＤケーブル４０のハンドル１０に沿った部分は、ハンドル１０の内部に収納されている。
【００３１】
次に、図９等を用いて、本実施形態に係る喉頭鏡１の動きについて説明する。
【００３２】
喉頭鏡１を使用する際には、図１〜図７に示すように、ハンドル１０とブレード２０とのなす角度を所定角度に設定して、ハンドル１０に対するブレード２０の回動を阻止する。このとき、ハンドル１０の凹部１３の嵌合穴１４にブレード２０の根元部２２に設けられた係止用球体６０が嵌合し、ブレード２０の根元部２２がハンドル１０の凹部１３に係止している（図３参照）。このような使用状態においては、図４に示すように、ＣＣＤケーブル４０がブレード２０のケーブル当接部２４に当接してその湾曲した姿勢が維持されるとともに、ＣＣＤヘッド３０が所定方向を向くようにブレード２０のヘッド装着部２５に装着されている。
【００３３】
このような使用状態から喉頭鏡１を折り畳むには、ブレード２０を図４及び図９に示したＲ１方向（折り畳む方向）に回動させるような力を作用させる。すると、ブレード２０に設けられた係止用球体６０がハンドル１０の凹部１３の内側面により内方に押圧されて穴部２３に収納され、係止用球体６０がハンドル１０の嵌合穴１４から外れて、ブレード２０の根元部２２とハンドル１０の凹部１３との係止状態が解除される。この結果、図９（Ａ）に示すように、ハンドル１０に対するブレード２０の回動軸５０を中心とした回動が許容されることとなる。このようにハンドル１０とブレード２０との係止状態が解除されると、図９（Ａ）に示すようにＣＣＤヘッド３０がブレード２０のヘッド装着部２５から抜脱するが、ＣＣＤケーブル４０はブレード２０のケーブル当接部２４に依然として当接している。
【００３４】
ハンドル１０とブレード２０との係止状態を解除した後、図９（Ｂ）に示すように回動軸５０を中心にブレード２０をＲ１方向にさらに回動させると、ＣＣＤヘッド３０はブレード２０のヘッド装着部２５から徐々に遠ざかる。この際、ＣＣＤケーブル４０はブレード２０のケーブル当接部２４に依然として当接している。その後、ブレード２０の先端部２１がハンドル１０に当接するまで回動軸５０を中心にブレード２０をＲ１方向に回動させることにより、図９（Ｃ）に示すように喉頭鏡１を折り畳むことができる。このように折り畳んだ状態においても、ＣＣＤケーブル４０はブレード２０のケーブル当接部２４に依然として当接しているため、ＣＣＤケーブル４０がその弾性により上方に跳ね上げられることがない。さらに、ＣＣＤヘッド３０もまたケーブル当接部２４に当接しているため、ＣＣＤケーブル４０の弾性によるＣＣＤヘッド３０の前方への跳ね上げが抑制される。従って、ＣＣＤヘッド３０に付着した体液の飛散を防ぐことが可能となる。
【００３５】
一方、図９（Ｃ）に示すように折り畳んだ状態の喉頭鏡１を開いて使用状態にするには、ブレード２０を図９に示したＲ２方向（開く方向）に回動させるような力を作用させることにより、回動軸５０を中心にブレード２０をＲ２方向に回動させる。この際、ＣＣＤケーブル４０はブレード２０のケーブル当接部２４に当接したままとされ、ＣＣＤヘッド３０はブレード２０のヘッド装着部２５に徐々に近づいていく。そして、図１〜図７に示すように、ハンドル１０とブレード２０とのなす角度が所定角度に到達すると、ハンドル１０の凹部１３の嵌合穴１４にブレード２０の根元部２２に設けられた係止用球体６０が嵌合し、ブレード２０の根元部２２がハンドル１０の凹部１３に係止する。この結果、ハンドル１０に対するブレード２０の回動が阻止される。また、ハンドル１０とブレード２０とのなす角度が所定角度に到達すると同時に、ＣＣＤヘッド３０が所定方向を向くようにブレード２０のヘッド装着部２５に装着される。このように折り畳んだ状態の喉頭鏡１を開く際には、ＣＣＤケーブル４０の復元力を利用してブレード２０をＲ２方向に自動的に回動させることができ、ＣＣＤケーブル４０の復元力により最終的にＣＣＤヘッド３０をヘッド装着部２５に装着させることができる。
【００３６】
以上説明した実施形態に係る喉頭鏡１においては、ハンドル１０に対してブレード２０を回動させることができ、かつ、ハンドル１０とブレード２０とのなす角度が零度を上回る所定角度のときにハンドル１０に対するブレード２０の回動を阻止する（すなわちハンドル１０に対してブレード２０を一時的に固定する）ことができる。従って、喉頭鏡１の非使用時には、図９（Ｃ）に示すように、ハンドル１０とブレード２０とのなす角度が略零度になるまでハンドル１０に対してブレード２０を回動させて喉頭鏡１を折り畳むことができるので、喉頭鏡１の携帯性を向上させることができ、また、喉頭鏡１の収納・保管スペースを節減することができる。一方、喉頭鏡１の使用時には、ハンドル１０とブレード２０とのなす角度を所定角度にした状態で維持することができる。
【００３７】
また、以上説明した実施形態に係る喉頭鏡１においては、ブレード２０のヘッド装着部２５に装着されたＣＣＤヘッド３０を用いて、声帯や気管入口部付近の画像情報を取得することができ、この取得した画像情報を、ＣＣＤケーブル４０を介して外部に伝送することができる。ＣＣＤヘッド３０はブレード２０に設けられたヘッド装着部２５に着脱自在となっており、ＣＣＤケーブル４０は可撓性を有しているため、ハンドル１０に対してブレード２０が回動した際にＣＣＤヘッド４０がブレード２０に引っ張られて破損したりＣＣＤケーブル４０が折損したりすることを防止することができる。
【００３８】
また、以上説明した実施形態に係る喉頭鏡１においては、ハンドル１０とブレード２０とのなす角度が所定角度になるまでブレード２０を回動させる（すなわち折り畳まれた喉頭鏡１を開いてハンドル１０に対してブレード２０を一時的に固定する）と、ブレード２０のヘッド装着部２５にＣＣＤヘッド３０が自動的に装着されて所定方向に向くこととなる。従って、折り畳まれた状態の喉頭鏡１を開く操作を行うだけで、速やかに使用状態に移行させることができるので、ＣＣＤヘッド３０をブレード２０に装着する手間やＣＣＤヘッド３０の方向調整を行う手間を省くことができる。
【００３９】
また、以上説明した実施形態に係る喉頭鏡１においては、ケーブルパイプ７０でＣＣＤケーブル４０のブレード根元部近傍部分を収納して支持し、ＣＣＤケーブル４０を予め緩やかに湾曲させておくことができる。従って、使用状態（ハンドル１０とブレード２０とのなす角度を所定角度にした状態）にある喉頭鏡１を折り畳む際に、ＣＣＤケーブル４０のブレード根元部近傍部分が大きな角度で屈曲して折損することを未然に防止することができる。
【００４０】
また、以上説明した実施形態に係る喉頭鏡１においては、ＣＣＤケーブル４０がブレード２０のケーブル当接部２４から外れたまま（ＣＣＤヘッド３０がブレード２０のヘッド装着部２５に装着されないまま）折り畳んだ状態から開いたときに、ケーブル案内部２６により、ＣＣＤケーブル４０をブレード根元部近傍部分で緩やかに湾曲させることができる。従って、ＣＣＤケーブル４０及びＣＣＤヘッド３０がブレード２０から外れた状態で喉頭鏡１を開いた場合においても、ＣＣＤケーブル４０の折損を未然に防止することができる。
【００４１】
なお、以上の実施形態においては、ハンドル１０の嵌合穴１４と、ブレード２０の根元部２２に設けられた係止用球体６０と、により、回動阻止手段を構成した例を示したが、回動阻止手段はこのような構成に限定されるものではない。すなわち、ハンドル１０とブレード２０とのなす角度が零度を上回る所定角度のときにハンドル１０に対するブレード２０の回動を阻止するような構成であれば、いかなる構成を回動阻止手段として採用してもよい。例えば、ハンドル１０側に係止用球体を設け、ブレード２０側に嵌合穴を設けることもできる。
【００４２】
また、以上の実施形態においては、ＣＣＤケーブル４０を左側方に緩やかに湾曲させるケーブル案内部２６を採用した例を示したが、ＣＣＤケーブル４０の折損を防止するように緩やかにＣＣＤケーブル４０を湾曲させるような構成（形状、構造）であれば、いかなる構成を採用してもよい。
【００４３】
また、以上の実施形態においては、撮像素子として「ＣＣＤ（Charge Coupled Device）」を採用した例を示したが、「ＣＭＯＳ（Complementary Metal-Oxide Semiconductor）」を撮像素子として採用することもできる。
【図面の簡単な説明】
【００４４】
【図１】本発明の実施形態に係る喉頭鏡の正面図である。
【図２】本発明の実施形態に係る喉頭鏡の背面図である。
【図３】本発明の実施形態に係る喉頭鏡の一部断面図を含む背面図である。
【図４】本発明の実施形態に係る喉頭鏡の左側面図である。
【図５】本発明の実施形態に係る喉頭鏡の右側面図である。
【図６】本発明の実施形態に係る喉頭鏡の平面図である。
【図７】本発明の実施形態に係る喉頭鏡の底面図である。
【図８】本発明の実施形態に係る喉頭鏡のケーブルの動きを示す説明図である。
【図９】本発明の実施形態に係る喉頭鏡のハンドルに対するブレードの動きを説明するためのものであり、（Ａ）はハンドルとブレードとの係止状態を解除してブレードを折り畳む方向に若干回動させた状態を示す説明図、（Ｂ）は（Ａ）の状態からブレードを同方向にさらに回動させた状態を示す説明図、（Ｃ）は（Ｂ）の状態からブレードを同方向にさらに回動させて喉頭鏡を折り畳んだ状態を示す説明図である。
【符号の説明】
【００４５】
１…喉頭鏡、１０…ハンドル、１４…嵌合穴（回動阻止手段）、２０…ブレード、２１…ブレードの先端部、２２…ブレードの根元部、２４…ケーブル当接部、２５…ヘッド装着部、２６…ケーブル案内部、３０…ＣＣＤヘッド（撮像部）、４０…ＣＣＤケーブル、５０…回動軸、６０…係止用球体（回動阻止手段）、７０…ケーブルパイプ。
【図１】
0005258216.tif 000002
【図２】
0005258216.tif 000003
【図３】
0005258216.tif 000004
【図４】
0005258216.tif 000005
【図５】
0005258216.tif 000006
【図６】
0005258216.tif 000007
【図７】
0005258216.tif 000008
【図８】
0005258216.tif 000009
【図９】
0005258216.tif 000010